(57)【要約】【課題】物流における読取ユニットの上下方向及び副走査方向の移動を規制する。【解決手段】画像読取装置１０は、原稿Ｄの画像を主走査方向ＭＳに読み取る読取ユニット１５と、読取ユニットを収容する筐体１４と、主走査方向に直交する副走査方向ＳＳにおける読取ユニットの移動を案内するガイド部材１３と、副走査方向における読取ユニットの移動と主走査方向および副走査方向に直交する上下方向ＶＤにおける読取ユニットの移動を規制する規制部材３１と、を備える。【選択図】図４
2020174251.tif 000002
【特許請求の範囲】
【請求項１】
原稿の画像を主走査方向に読み取る読取ユニットと、
前記読取ユニットを収容する筐体と、
前記主走査方向に直交する副走査方向における前記読取ユニットの移動を案内するガイド部材と、
前記副走査方向における前記読取ユニットの前記移動と前記主走査方向および前記副走査方向に直交する上下方向における前記読取ユニットの移動を規制する規制部材と、
を備えることを特徴とする画像読取装置。
【請求項２】
前記規制部材は、前記主走査方向に延在する延在部を有し、
前記延在部は、前記上下方向に沿って見たときに前記ガイド部材と重なる領域を有し、
前記延在部は、前記ガイド部材と係合し、それによって前記読取ユニットの前記上下方向の前記移動が規制されることを特徴とする請求項１に記載の画像読取装置。
【請求項３】
前記筐体に固定される固定部材を備え、
前記規制部材は、穴が形成されており、
前記固定部材は、前記規制部材の前記穴と係合し、それによって前記読取ユニットの前記副走査方向の前記移動が規制されることを特徴とする請求項１又は２に記載の画像読取装置。
【請求項４】
前記ガイド部材は、前記主走査方向における前記読取ユニットの一端部で前記筐体に設けられており、
前記規制部材は、前記読取ユニットの前記一端部に配置されていることを特徴とする請求項１乃至３のいずれか一項に記載の画像読取装置。
【請求項５】
前記副走査方向における前記規制部材の幅は、前記副走査方向における前記読取ユニットの幅と同じである請求項１乃至４のいずれか一項に記載の画像読取装置。
【請求項６】
前記主走査方向における前記読取ユニットの一端部に設けられ、前記ガイド部材の上を摺動する摺動部材を備え、
前記規制部材は、前記ガイド部材に関して前記摺動部材の反対側に配置されていることを特徴とする請求項１乃至５のいずれか一項に記載の画像読取装置。
【請求項７】
前記規制部材は、前記読取ユニットと異なる材料で形成されていることを特徴とする請求項１乃至６のいずれか一項に記載の画像読取装置。
【請求項８】
前記主走査方向における前記規制部材の他端部で前記筐体に取り付けられた第二の規制部材を備えることを特徴とする請求項１乃至７のいずれか一項に記載の画像読取装置。
【請求項９】
前記第二の規制部材は、前記主走査方向にスライドされて前記筐体の下面と前記読取ユニットの上面のとの間の隙間に挿入されることを特徴とする請求項８に記載の画像読取装置。
【請求項１０】
前記第二の規制部材は、前記筐体に設けられた穴と係合して前記第二の規制部材の前記主走査方向における位置を決定する凸部を有することを特徴とする請求項８又は９に記載の画像読取装置。
【請求項１１】
前記ガイド部材は、シャフトであることを特徴とする請求項１乃至１０のいずれか一項に記載の画像読取装置。
【発明の詳細な説明】
【技術分野】
【０００１】
本発明は、原稿の画像を読み取る画像読取装置に関する。
【背景技術】
【０００２】
従来、原稿が載置されるプラテンガラスと、プラテンガラスの上に載置された原稿の画像を読み取る読取ユニットと、読取ユニットが収容された筐体と、を備える画像読取装置が知られている。しかし、画像読取装置が生産者から消費者へ搬送される物流において、読取ユニットが筐体内で移動して破損することがある。そこで、特許文献１は、物流における読取ユニットの移動を規制する規制部材を筐体に取り付けることを提案している。特許文献１の規制部材は、主走査方向にスライドされて読取ユニットの係合部と係合することによって読取ユニットの移動を規制する。
【先行技術文献】
【特許文献】
【０００３】
【特許文献１】特開２０１８−１５２８４４号公報
【発明の概要】
【発明が解決しようとする課題】
【０００４】
しかし、特許文献１の規制部材は、読取ユニットのスキャン方向（以下、副走査方向という）における一端部（原稿の画像を読み取るために読取ユニットが移動する方向と反対の側の端部）のみに取り付けられる。そのため、読取ユニットの規制部材が取り付けられていない副走査方向における他端部が、画像読取装置の物流において浮き上がってしまい、読取ユニットの上下方向及び副走査方向の移動を十分に規制することができない。物流における読取ユニットの筐体に対する移動は、読取ユニットの破損につながるおそれがある。
【０００５】
そこで、本発明は、読取ユニットの破損を抑制することができる画像読取装置を提供する。
【課題を解決するための手段】
【０００６】
上記課題を解決するために、画像読取装置は、
原稿の画像を主走査方向に読み取る読取ユニットと、
前記読取ユニットを収容する筐体と、
前記主走査方向に直交する副走査方向における前記読取ユニットの移動を案内するガイド部材と、
前記副走査方向における前記読取ユニットの前記移動と前記主走査方向および前記副走査方向に直交する上下方向における前記読取ユニットの移動を規制する規制部材と、
を備えることを特徴とする。
【発明の効果】
【０００７】
本発明によれば、読取ユニットの破損を抑制することができる。
【図面の簡単な説明】
【０００８】
【図１】画像読取装置の斜視図。
【図２】図１のＩＩ−ＩＩ線に沿って取った画像読取装置の断面図。
【図３】読取ユニットの斜視図。
【図４】規制部材の拡大図。
【図５】固定部材を示す図。
【図６】第二の規制部材を示す図。
【発明を実施するための形態】
【０００９】
（画像読取装置）
以下、本実施例による画像読取装置１０を説明する。図１は、画像読取装置１０の斜視図である。図２は、図１のＩＩ−ＩＩ線に沿って取った画像読取装置１０の断面図である。図２に示すように、画像読取装置１０は、読取ユニット１５を収容する筐体１４を有する。筐体１４の上面には、原稿Ｄが載置されるプラテンガラス１２が設けられている。プラテンガラス１２の下には、読取ユニット１５が筐体１４内に配置されている。読取ユニット１５は、原稿Ｄへ光を照射する光源２１、原稿Ｄからの反射光を反射するミラー２２、２３、２４、２５、反射光をイメージセンサ２７へ結像させるレンズ２６などの光学部品を含む。イメージセンサ２７は、原稿Ｄの画像を主走査方向ＭＳにライン状に読み取る。読取ユニット１５は、ガイド部材１３及びガイド部材１６によって案内されて主走査方向ＭＳに直交する副走査方向（スキャン方向）ＳＳに移動可能に設けられている。ガイド部材１３は、主走査方向ＭＳにおける読取ユニット１５の一端部で筐体１４に設けられている。ガイド部材１６は、主走査方向ＭＳにおける読取ユニット１５のほぼ中央部で筐体１４に設けられている。読取ユニット１５は、駆動機構（モータ）１７によって副走査方向ＳＳに移動される。ガイド部材１３及びガイド部材１６は、シャフトである。シャフトは、円柱部材であってもよいし、断面が多角形の棒状部材であってもよい。
【００１０】
画像読取装置１０は、ユーザーからの読取開始信号を受信すると、光源２１を点灯させ、駆動機構１７によって読取ユニット１５を副走査方向ＳＳに移動させながらプラテンガラス１２上に載置された原稿Ｄの画像を読み取る。読取ユニット１５には、イメージセンサ２７が実装されたプリント基板２８が設けられている。プリント基板２８には、フレキシブルフラットケーブル（以下、ＦＦＣという）（不図示）の一端部が接続されている。ＦＦＣ（不図示）は、画像読取装置１０の枠体後側板を摺動するように配置されている。ＦＦＣ（不図示）は、枠体後側板の開口部（不図示）から画像読取装置１０の外部へ延在している。ＦＦＣ（不図示）の他端部は、コントローラ基板（不図示）に接続されている。読取ユニット１５によって読み取られた原稿Ｄの画像は、画像情報（画像信号）としてＦＦＣ（不図示）によってコントローラ基板（不図示）へ送信される。コントローラ基板（不図示）は、画像情報をファイル化したり、画像情報に基づいて記録媒体に画像を形成するために画像情報を画像形成部（不図示）へ送信したりする。
【００１１】
画像読取装置１０が搬送される物流において、画像読取装置１０の落下や画像読取装置１０へ伝わる振動によって読取ユニット１５が筐体１４に対して移動することがある。物流における読取ユニット１５の筐体１４に対する移動は、読取ユニット１５の破損につながるおそれがある。そこで、物流における読取ユニット１５の筐体１４に対する移動を規制するために、規制部材３１が読取ユニット１５に設けられている。図３は、読取ユニット１５の斜視図である。本実施例において、規制部材３１は、図３に示すように主走査方向ＭＳにおいて読取ユニット１５の一端部１５ａに配置されている。規制部材３１は、副走査方向ＳＳに延在している。副走査方向ＳＳにおける規制部材３１の両端部には、主走査方向ＭＳへ延在する延在部（以下、突出部という）３１ａ、３１ｂが設けられている。主走査方向ＭＳにおける読取ユニット１５の一端部１５ａには、ガイド部材１３の上を摺動する摺動部材３２が固定されている。
【００１２】
図４は、規制部材３１の拡大図である。図４（ａ）は、読取ユニット１５の一端部１５ａに取り付けられた規制部材３１の斜視図である。図４（ｂ）は、図４（ａ）の矢印ＩＶＢによって示す方向に沿って見た規制部材３１の図である。図４（ｂ）に示すように規制部材３１の突出部３１ａ（３１ｂ）は、主走査方向ＭＳ及び副走査方向ＳＳに直交する上下方向ＶＤに沿って見たときにガイド部材１３と重なる領域を有している。規制部材３１の突出部３１ａ及び３１ｂは、ガイド部材１３に関して摺動部材３２の反対側に配置されている。本実施例において、規制部材３１の突出部３１ａ及び３１ｂは、鉛直方向においてガイド部材１３の下に配置されている。摺動部材３２は、ガイド部材１３に接触する。規制部材３１が摺動部材３２の近傍に配置されているので、主走査方向ＭＳ及び副走査方向ＳＳに直交する上下方向ＶＤにおいてガイド部材１３と規制部材３１の突出部３１ａ及び３１ｂとの間の隙間Ｇを小さくすることができる。隙間Ｇを小さくすることによって、上下方向ＶＤにおける読取ユニット１５の移動は、許容可能な小さな範囲内に規制される。
【００１３】
図４（ｃ）は、主走査方向ＭＳに沿って読取ユニット１５の一端部１５ａに取り付けられた規制部材３１を見た図である。また、本実施例においては、図４（Ｃ）に示すように規制部材３１の幅Ｗ２が読取ユニット１５の幅Ｗ１と同じになるように、規制部材３１が形成されている。例えば、図４（ａ）の実線矢印又は点線矢印で示す方向の外力が読取ユニット１５に作用して読取ユニット１５が斜めに傾こうとしても、読取ユニット１５の幅Ｗ１と同じ幅Ｗ２を有する規制部材３１によって、読取ユニット１５の浮き上がり量が規制される。本実施例では、読取ユニット１５のスキャン開始位置Ｐ１（図１）及びスキャン終了位置（不図示）における筐体１４とのクリアランスＣＬを考慮した結果、規制部材３１の幅Ｗ２を読取ユニット１５の幅Ｗ１と同等にすることが最適であった。しかし、スキャン領域に対して筐体１４の幅が十分に大きい場合には、規制部材３１の幅Ｗ２は、読取ユニット１５の幅Ｗ１より大きくてもよい。また、読取ユニット１５が上下方向ＶＤに又は傾いて斜め方向に大きく浮き上がっても読取ユニット１５が破損に至らないような構成であるならば、規制部材３１の幅Ｗ２は、読取ユニット１５の幅Ｗ１より小さくてもよい。
【００１４】
また、本実施例では、読取ユニット１５と規制部材３１は、それぞれ別部材で構成されている。規制部材３１は、読取ユニット１５と異なる材料で形成されている。しかし、規制部材３１は、読取ユニット１５と一体に構成されてもよい。例えば、読取ユニット１５から主走査方向ＭＳに突出する突出部を読取ユニット１５の副走査方向ＳＳの両端部にそれぞれ一体的に設けてもよい。規制部材３１は、読取ユニット１５と同じ材料で形成されてもよい。
【００１５】
画像読取装置１０の梱包形態や搬送経路の状況によっては、物流において画像読取装置１０の落下の衝撃や画像読取装置１０へ伝わる振動がより大きくなることがある。そこで、規制部材３１へ固定部材６３を挿入して読取ユニット１５の副走査方向ＳＳへの移動を規制する。図５は、固定部材６３を示す図である。図５（ａ）乃至図５（ｃ）に示すように、固定部材６３は、筐体１４に設けられた穴１９を介して主走査方向ＭＳに読取ユニット１５へ挿入される。固定部材６３は、筐体１４に設けられた穴１９に係合し、穴１９によって固定部材６３の筐体１４に対する副走査方向ＳＳへの移動が規制される。図５（ｂ）に示すように、規制部材３１には、コの字型（溝型）の穴（開口部）３１ｃが設けられている。固定部材６３の先端部は、規制部材３１のコの字型の穴３１ｃへ挿入される。固定部材６３は、筐体１４にビス（不図示）によって固定される。筐体１４に固定された固定部材６３の先端部が読取ユニット１５に固定された規制部材３１の穴３１ｃと係合することによって、読取ユニット１５の副走査方向ＳＳへの移動が規制される。
【００１６】
固定部材６３の副走査方向ＳＳにおける幅と規制部材３１の穴３１ｃの副走査方向ＳＳにおける幅は、読取ユニット１５の副走査方向ＳＳにおける移動が許容範囲内になるように設定されている。本実施例では、規制部材３１の穴３１ｃがコの字型に形成されている。しかし、規制部材３１の穴３１ｃは、コの字型に限定されるものではなくロの字型であってもよい。固定部材６３の先端部が規制部材３１のロの字型の穴に挿入されることによって、読取ユニット１５は、上下方向ＶＤ及び副走査方向ＳＳの移動が規制される。このように、本実施例の規制部材３１は、読取ユニット１５の一端部１５ａに設けられ、読取ユニット１５の上下方向ＶＤの移動と読取ユニット１５の副走査方向ＳＳの移動を規制する。
【００１７】
画像読取装置１０には、第一の規制部材としての規制部材３１に加えて第二の規制部材５１が取り付けられてもよい。図６は、第二の規制部材５１を示す図である。図６（ａ）に示すように、主走査方向ＭＳにおいて読取ユニット１５の一端部１５ａと反対の他端部１５ｂにおいて筐体１４に第二の規制部材５１が取り付けられる。図６（ｂ）は、第二の規制部材５１の斜視図である。第二の規制部材５１は、板状部５０と、板状部５０の一端部に設けられたつまみ部５４と、板状部５０の他端部に設けられた凸部５３と、凸部５３から下方へ延在すると共に両側へ突出する突出部５２とからなる。読取ユニット１５は、図３に示すように主走査方向ＭＳにおける他端部１５ｂに穴７０が設けられている。穴７０の副走査方向ＳＳの両側には、主走査方向ＭＳに平行な壁７１が形成されている。
【００１８】
図６（ｃ）に示すように、第二の規制部材５１の突出部５２は、筐体１４に設けられた穴１８を通して、読取ユニット１５に設けられた穴７０へ挿入される。図６（ｄ）は、図６（ｃ）のＶＩｄ−ＶＩｄ線に沿って取った断面図である。図６（ｄ）は、筐体１４に設けられた穴１８を通して読取ユニット１５に設けられた穴７０へ挿入された突出部５２を示す筐体１４及び読取ユニット１５の断面図である。第二の規制部材５１は、主走査方向ＭＳにスライドされ、筐体１４に取り付けられる。図６（ｅ）は、主走査方向ＭＳにスライドされた突出部５２を示す筐体１４及び読取ユニット１５の断面図である。突出部５２は、読取ユニット１５の穴７０と筐体１４との間に挟まれて読取ユニット１５と筐体１４との間のクリアランスＣＬを保持する。これによって、第二の規制部材５１が取り付けられた読取ユニット１５の他端部１５ｂにおいても読取ユニット１５の上下方向ＶＤの移動を規制することができる。なお、第二の規制部材５１は、主走査方向ＭＳにスライドされて筐体１４の下面と読取ユニット１５の上面との間のクリアランス（隙間）ＣＬに挿入されてもよい。
【００１９】
また、筐体１４の穴１８には、副走査方向ＳＳの幅が狭い穴１８ａが形成されている。第二の規制部材５１は、筐体１４の穴１８に係合して第二の規制部材５１の主走査方向ＭＳにおける位置を決定する凸部５３を備える。第二の規制部材５１の凸部５３は、穴１８ａに係合し、筐体１４に対する第二の規制部材５１の副走査方向ＳＳの移動を規制する。第二の規制部材５１の副走査方向ＳＳの両側に設けられた突出部５２は、読取ユニット１５の穴７０の副走査方向ＳＳの両側に形成された壁７１にそれぞれ当接する。これによって、第二の規制部材５１は、読取ユニット１５の副走査方向ＳＳの移動を規制する。
【００２０】
本実施例によれば、物流における読取ユニット１５の上下方向ＶＤ及び副走査方向ＳＳの移動を規制することができる。その結果、読取ユニットの破損を抑制することができる。
【符号の説明】
【００２１】
１０・・・画像読取装置
１３・・・ガイド部材
１４・・・筐体
１５・・・読取ユニット
３１・・・規制部材
Ｄ・・・原稿
ＭＳ・・・主走査方向
ＳＳ・・・副走査方向
ＶＤ・・・上下方向
【図１】
2020174251.tif 000003
【図２】
2020174251.tif 000004
【図３】
2020174251.tif 000005
【図４】
2020174251.tif 000006
【図５】
2020174251.tif 000007
【図６】
2020174251.tif 000008